【事件の表示】
　特願２００９−５０６５０２「時間およびイベントベースのワンタイムパスワード」拒絶査定不服審判事件〔平成１９年１１月　８日国際公開、ＷＯ２００７／１２６７６３、平成２１年　９月２４日国内公表、特表２００９−５３４７４２〕について、次のとおり審決する。
【結　論】
　本件審判の請求は、成り立たない。
【理　由】
第１　手続の経緯
　
　本件審判請求に係る出願（以下，「本願」という。）は，２００７年３月２７日（パリ条約による優先権主張外国庁受理２００６年４月２１日（以下，「優先日」という。），アメリカ合衆国）を国際出願日とする出願であって，平成２０年１０月２０日付けで特許法第１８４条の５第１項に規定される書面が提出され，同年１２月２２日付けで特許法第１８４条の４第１項の規定による国際出願日における明細書，請求の範囲，図面（図面の中の説明に限る。）及び要約の翻訳文が提出され，平成２２年３月１６日付けで審査請求がなされ，平成２４年４月２３日付けで拒絶理由通知（同年５月１日発送）がなされ，同年１１月１日付けで意見書が提出されるとともに，同日付けで手続補正がなされたが，平成２５年１月２８日付けで拒絶査定（同年２月５日謄本送達）がなされたものである。
　これに対して，「原査定を取り消す。本願は特許をすべきものである、との審決を求める。」ことを請求の趣旨として，平成２５年６月５日付けで本件審判請求がなされるとともに，同日付けで手続補正がなされた。
　そして，平成２５年６月２８日付けで審査官により特許法第１６４条第３項に定める報告（前置報告）がなされ，同年１１月５日付けで当審により特許法第１３４条第４項の規定に基づく審尋（同年１１月１２日発送）がなされ，平成２６年２月１２日付けで回答書の提出があった。
　
　
第２　平成２５年６月５日付けの手続補正についての補正却下の決定
　
［補正却下の決定の結論］
　
　平成２５年６月５日付けの手続補正を却下する。
　
［理由］
　
１　補正の内容
　
　平成２５年６月５日付けの手続補正（以下，「本件補正」という。）の内容は，平成２４年１１月１日付けの手続補正により補正された特許請求の範囲の請求項１ないし請求項１９の記載
　
「　【請求項１】
　プロセッサによりワンタイムパスワードを発生させる方法において、
　時間およびイベントに基づく値を保持するカウンタ（ＴＥＣ）を初期化する要求を受信することと、
　カウンタを初期化する前記要求に応答して、第１の時間間隔の経過の後に前記カウンタを増分することと、
　続く時間間隔の経過の前にワンタイムパスワードを発生させる要求を受信することと、
　続く時間間隔の経過の前にワンタイムパスワードを発生させる前記要求に応答して前記カウンタを増分することと、
　前記カウンタに基づいて、前記ワンタイムパスワードを決定することとを含む方法。
　　【請求項２】
　前記ワンタイムパスワードは、アジャンクト値に基づいてさらに決定される請求項１記載の方法。
　　【請求項３】
　前記アジャンクト値は、共有シークレットに基づいたものである請求項２記載の方法。
　　【請求項４】
　前記アジャンクト値は、共有シークレットと公開情報とに基づいたものである請求項２記載の方法。
　　【請求項５】
　ワンタイムパスワードを発生させる前記要求は、ボタンの押下である請求項１記載の方法。
　　【請求項６】
　ワンタイムパスワードを発生させる前記要求は、ダイアログボックスの選択である請求項１記載の方法。
　　【請求項７】
　ワンタイムパスワードを発生させる前記要求は、条件の一致である請求項１記載の方法。
　　【請求項８】
　前記カウンタは、Ｔ秒後に増分される請求項１記載の方法。
　　【請求項９】
　前記カウンタは、Ｔ秒後にＴＩだけ増分される請求項１記載の方法。
　　【請求項１０】
　前記カウンタは、ワンタイムパスワードを発生させる要求Ｅの検出後にＥＩだけ増分される請求項１記載の方法。
　　【請求項１１】
　前記ワンタイムパスワードは、ＲＦＣ４２２６において規定されたアルゴリズムにしたがって計算される請求項１記載の方法。
　　【請求項１２】
　ワンタイムパスワードを発生させる装置において、
　時間およびイベントに基づく値を保持するカウンタ（ＴＥＣ）を初期化する要求を受信し、
　カウンタを初期化する前記要求に応答して、第１の時間間隔の経過の後に前記カウンタを増分し、
　続く時間間隔の経過の前にワンタイムパスワードを発生させる要求を受信し、
　続く時間間隔の経過の前にワンタイムパスワードを発生させる前記要求に応答して前記カウンタを増分し、
　前記カウンタに基づいてワンタイムパスワードを計算するように構成および配置されているプロセッサを具備する装置。
　　【請求項１３】
　前記プロセッサに結合されているメモリとディスプレイとをさらに具備する請求項１２記載の装置。
　　【請求項１４】
　前記プロセッサは、前記ワンタイムパスワードをディスプレイに表示させるようにさらに構成および配置されている請求項１３記載の装置。
　　【請求項１５】
　前記プロセッサは、Ｔ秒の経過を検出したときに、前記カウンタをＴＩだけ増分するように構成および配置されている請求項１２記載の装置。
　　【請求項１６】
　前記プロセッサは、ワンタイムパスワードを発生させる要求Ｅを検出したときに、前記カウンタをＥＩだけ増分するように構成および配置されている請求項１２記載の装置。
　　【請求項１７】
　前記プロセッサは、ＲＦＣ４２２６に規定されたアルゴリズムにしたがって、前記ワンタイムパスワードを計算するように構成および配置されている請求項１２記載の装置。
　　【請求項１８】
　プロセッサによって実行されて、値を保持するカウンタを初期化する要求に基づいて初期化され、第１の時間間隔の経過の後に増分され、続く時間間隔の経過の前に受信されたワンタイムパスワードを発生させる要求に応答して再び増分された値に基づいて、ワンタイムパスワードを計算するように適合されている命令を記憶する媒体。
　　【請求項１９】
　前記ワンタイムパスワードは、アジャンクト値に基づいて計算される請求項１８記載の媒体。」
（以下，この特許請求の範囲に記載された請求項各項を「補正前の請求項」という。）
　
を，
　
「　【請求項１】
　プロセッサによりワンタイムパスワードを発生させる方法において、
　
第１の時間において、時間の経過以外のイベントの発生に応答して、
くカ
増分
　
第２の時間において、
間の
に応答して、
ＴＥＣ
　前
ＴＥＣ
　　【請求項２】
　前記ワンタイムパスワードは、アジャンクト値に基づいてさらに決定され
、前記アジャンクト値はシークレットに基づいたものである
　　【請求項３】
　前記アジャンクト値は、共有シークレットに基づいたものである請求項２記載の方法。
　　【請求項４】
　前記アジャンクト値は、共有シークレットと公開情報とに基づいたものであ
り、前記公開情報は、共有でない情報、または、プライベートシークレットでない情報であ
　　【請求項５】
　前
イベント
　　【請求項６】
　前
イベント
　　【請求項７】
　前
イベント
　　【請求項８】
　前記カウンタは、
前記カウンタが以前に増分されたときから
が経過した
　　【請求項９】
　前記カウンタは、
前記カウンタが以前に増分されたときから
が経過した
　　【請求項１０】
　前記カウンタは、
イベント
発生
　　【請求項１１】
　前記ワンタイムパスワードは、ＲＦＣ４２２６において規定されたアルゴリズムにしたがって計算される請求項１記載の方法。
　　【請求項１２】
　ワンタイムパスワードを発生させる装置において、
　
第１の時間において、時間の経過以外のイベントの発生に応答して、
くカ
増分
　
第２の時間において、
間の
に応答して、
ＴＥＣ
　前
ＴＥＣ
　　【請求項１３】
　前記プロセッサに結合されているメモリとディスプレイとをさらに具備する請求項１２記載の装置。
　　【請求項１４】
　前記プロセッサは、前記ワンタイムパスワードをディスプレイに表示させるようにさらに構成および配置されている請求項１３記載の装置。
　　【請求項１５】
　前記プロセッサは、
前記カウンタが以前に増分されたときから
が
したこと
　　【請求項１６】
　前記プロセッサは、
イベント
の発生
　　【請求項１７】
　前記プロセッサは、ＲＦＣ４２２６に規定されたアルゴリズムにしたがって、前記ワンタイムパスワードを計算するように構成および配置されている請求項１２記載の装置。
　　【請求項１８】
　プロセッサによって実行されて、
第１の時間において、
間の
以外のイベントの発生に応答して
第２の時間において、
間の
過に
　　【請求項１９】
　前記ワンタイムパスワードは、アジャンクト値に基づいて計算され
、前記アジャンクト値はシークレットに基づいたものである
（以下，この特許請求の範囲に記載された請求項各項を「補正後の請求項」という。なお，下線は，補正箇所を示すものとして，出願人が付与したものである。）
　
に補正するものである。
　
２　新規事項の有無
　
　本件補正は，願書に最初に添付した明細書，特許請求の範囲又は図面に記載した事項の範囲内においてなされており，特許法第１７条の２第３項の規定に適合している。
　
３　補正の目的要件
　
　次に，本件補正が，平成１８年法律第５５号改正附則第３条第１項によりなお従前の例によるとされる同法による改正前の特許法１７条の２第４項の規定を満たすものであるか否か，すなわち，本件補正が，特許法第１７条の２第４項に規定する請求項の削除，特許請求の範囲の減縮（特許法第３６条第５項の規定により請求項に記載した発明を特定するために必要な事項を限定するものであって，その補正前の当該請求項に記載された発明とその補正後の当該請求項に記載される発明の産業上の利用分野及び解決しようとする課題が同一であるものに限る），誤記の訂正，あるいは，明りょうでない記載の釈明（拒絶理由通知に係る拒絶の理由に示す事項についてするものに限る。）の何れかを目的としたものであるかについて，以下に検討する。
　
　補正前の請求項１及び請求項１２は，その記載からして，次の事項（ａ）及び（ｂ）を含むものである。
　
（ａ）「時間およびイベントに基づく値を保持するカウンタ（ＴＥＣ）を初期化する要求を受信」する態様
（ｂ）「カウンタを初期化する前記要求に応答して、第１の時間間隔の経過の後に前記カウンタを増分」する態様
　
　しかしながら，補正後の請求項１及び請求項１２には，上記（ａ）の事項は含まれておらず，また，第１の時間（補正前の請求項１及び請求項１２における「第１の時間間隔の経過の後」）にカウンタを増分する際に，上記（ｂ）に記載の「カウンタを初期化する前記要求に応答して」（カウンタを増分する）という限定は，補正後の請求項１及び請求項１２には含まれていない。
　
　したがって，補正前の請求項１及び請求項１２から，上記（ａ）の事項，及び，上記（ｂ）の「カウンタを初期化する前記要求に応答して」という事項を削除する補正を含む本件補正は，特許請求の範囲の減縮を目的とするものとは認められない。
　
　また，補正前の請求項１及び請求項１２から，上記（ａ）の事項，及び，上記（ｂ）の「カウンタを初期化する前記要求に応答して」という事項を削除する補正を含む本件補正が，請求項の削除，誤記の訂正，明りょうでない記載の釈明（拒絶理由通知に係る拒絶の理由に示す事項についてするものに限る。）に該当しないことも明らかである。
　
　そして，補正前の請求項１及び請求項１２と同様の内容を含む補正前の請求項１８についてする補正についても，同様の理由により，特許請求の範囲の減縮を目的とするものとは認められない。
　
　以上のとおり，前記補正前の請求項１，請求項１２，及び請求項１８についてする補正を含む本件補正は，平成１８年法律第５５号改正附則第３条第１項によりなお従前の例によるとされる同法による改正前の特許法第１７条の２第４項の規定に違反するものであり，特許法第１５９条第１項で読み替えて準用する同法第５３条第１項の規定により却下されるべきものである。
　
４　独立特許要件
　
　以上のように，補正前の請求項１についてする補正は，上記「３　補正の目的要件」で指摘したとおり，特許法第１７条の２第４項第２号の限定的減縮に該当せず，平成１８年法律第５５号改正附則第３条第１項によりなお従前の例によるとされる同法による改正前の特許法第１７条の２第４項の規定に違反するものであるが，仮に，本件補正が，特許法第１７条の２第４項第２号の限定的減縮に該当すると仮定した場合に，本件補正後の請求項１に記載された発明（以下，「本件補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）検討する。
　
（１）本件補正発明
　
　本件補正発明は，前記「１　補正の内容」において，補正後の請求項１として引用した，次の記載のとおりのものである。
　
「プロセッサによりワンタイムパスワードを発生させる方法において、
　第１の時間において、時間の経過以外のイベントの発生に応答して、時間およびイベントに基づくカウンタ（ＴＥＣ）を増分することと、
　第２の時間において、時間の経過に応答して、前記ＴＥＣを増分することと、
　前記ＴＥＣに基づいて、前記ワンタイムパスワードを決定することとを含む方法。」
　
（２）引用文献
　
　本願の優先日前に頒布又は電気通信回線を通じて公衆に利用可能とされ，
原審の拒絶査定の理由である上記平成２４年４月２３日付けの拒絶理由通知において引用された文献である，特表２０００−５０８０９９号公報（平成１２年６月２７日公表。以下，「引用文献」という。）には，図面とともに，以下の技術的事項が記載されている。
（当審注：下線は，参考のために当審で付与したものである。）
　
Ａ　「【要約】
カードからなる第１のユニット（２）とこれと通信できる第２のユニット（３）とを包含し
両ユニットは、複数の動的変数を暗号化することによってパスワードを同時ではあるが両ユニットで別個に生成する
　
Ｂ　「
図１は、本発明によるアクセス制御システムの概略図
…（中略）…
　
本発明によるシステムは、特定の実施の形態によれば、ここでは「カード」と参照される少なくとも一つの第１のユニット２及び少なくとも一つの第２のユニット３を含んでいることが図１に示されている
　
第１ユニット又はカード２は、特定のユーザに個人的に割り当てられた携帯型で個人用のものとするのがよい
　
カード２は
情報を入力するキーパッド６と、
表示器８、
マイクロコントローラを含む集積回路９、
メモリを備えている
　
Ｃ　「
図２は、ある機能へのアクセスの要求がカードのユーザによって公式化されたときに展開されるさまざまな演算の概略フローチャート
　
サーバ１５での手続きを開始するには
ユーザ自身によって
キーパッド６へ直接入力
　
ユーザは、また
ＰＩＮコードを２０において打つことにより自分の権限を入力
　他方、
入力したＰＩＮコードとメモリ内のＰＩＮコードとが一致したとすれば、２３において、プログラムがパスワードを計算する演算を起動する
　
Ｄ　「
本発明によれば
三つの動的変数に依存した入力パラメータを使用している。これらの一つは、レジスタ２５に格納され
アクセス要求の番号を表わす変数Ｎｎであり、他はカウンタ２６の現在位置に相当する変数Ｔである。各カードの初期化のとき、これらの変数は
初期値Ｎ０及び／又はＴ０にセットされる
Ｎｎ及びＴは、
アクセス要求の番号の関数、及び現在の時間のそれぞれに従って変化する
　
変数Ｎｎ及びＴｎは
２７にて連結演算を受け
入力パラメータを提供する
　
Ｅ　「
第３の動的変数は、２４におけるアルゴリズムで使用される暗号化キーＫｎであり、２７での連結演算から生じる入力パラメータを暗号化する
アルゴリズムがＮｎ，Ｔｎ及びＫｎの現在値の関数とするパスワードを発生する
　
２４にて行われる暗号化により、２９にパスワードＡを発生させ、３０にＮｎを格納しているアクセス要求レジスタ２５の位置の１単位だけの増分値を生じさせる。この増分された番号Ｎｎ＋１は、レジスタ２５に格納される
　
　ここで，上記引用文献に記載されている事項を検討する。
　
ア　上記Ａの「カードからなる第１のユニット（２）とこれと通信できる第２のユニット（３）とを包含し・・・両ユニットは、複数の動的変数を暗号化することによってパスワードを同時ではあるが両ユニットで別個に生成する」との記載，上記Ｂの「図１は、本発明によるアクセス制御システムの概略図・・・本発明によるシステムは、特定の実施の形態によれば、ここでは「カード」と参照される少なくとも一つの第１のユニット２及び少なくとも一つの第２のユニット３を含んでいることが図１に示されている・・・第１ユニット又はカード２は、特定のユーザに個人的に割り当てられた携帯型で個人用のものとするのがよい・・・カード２は・・・情報を入力するキーパッド６と、・・・表示器８、・・・マイクロコントローラを含む集積回路９、・・・メモリを備えている」との記載からすると，引用文献には，
“マイクロコントローラを含む集積回路を備える第１のユニットにより，複数の動的変数を暗号化することによってパスワードを生成する方法”
が記載されている。
　
イ　上記Ｄの「本発明によれば・・・三つの動的変数に依存した入力パラメータを使用している。これらの一つは、レジスタ２５に格納され・・・たアクセス要求の番号を表わす変数Ｎｎであり、他はカウンタ２６の現在位置に相当する変数Ｔである。各カードの初期化のとき、これらの変数は・・・初期値Ｎ０及び／又はＴ０にセットされる」との記載からすると，引用文献には，
“第１のユニットの初期化のとき，動的変数（ＮｎやＴｎ）は初期値にセットされる”こと
が記載されている。
　
ウ　上記Ｃの「図２は、ある機能へのアクセスの要求がカードのユーザによって公式化されたときに展開されるさまざまな演算の概略フローチャート・・・サーバ１５での手続きを開始するには・・・ユーザ自身によって・・・キーパッド６へ直接入力・・・ユーザは、また・・・ＰＩＮコードを２０において打つことにより自分の権限を入力・・・入力したＰＩＮコードとメモリ内のＰＩＮコードとが一致したとすれば、２３において、プログラムがパスワードを計算する演算を起動する」との記載，上記Ｄの「本発明によれば・・・三つの動的変数に依存した入力パラメータを使用している。これらの一つは、レジスタ２５に格納され・・・たアクセス要求の番号を表わす変数Ｎｎ・・・他はカウンタ２６の現在位置に相当する変数Ｔである。・・・Ｎｎ及びＴは・・・アクセス要求の番号の関数、及び現在の時間のそれぞれに従って変化する」との記載，上記Ｅの「２４にて行われる暗号化により、２９にパスワードＡを発生させ、３０にＮｎを格納しているアクセス要求レジスタ２５の位置の１単位だけの増分値を生じさせる。この増分された番号Ｎｎ＋１は、レジスタ２５に格納される」との記載からすると，引用文献には，
“アクセス要求がされたときに，レジスタに格納されたアクセス要求の番号を表す変数Ｎｎを１単位だけ増分させる”こと，
“現在の時間に従ってカウンタ変数Ｔｎを変化させる”こと
が記載されている。
　
エ　上記ウの検討内容，上記Ｄの「変数Ｎｎ及びＴｎは・・・２７にて連結演算を受け・・・入力パラメータを提供する」との記載からすると，引用文献には，
“変数Ｎｎ及び変数Ｔｎに基づいて入力パラメータを演算する”こと
が記載されている。
　
オ　上記Ａの「第１のユニット・・・は、複数の動的変数を暗号化することによってパスワードを・・・生成する」との記載，上記Ｅの「第３の動的変数は、２４におけるアルゴリズムで使用される暗号化キーＫｎであり、２７での連結演算から生じる入力パラメータを暗号化する・・・アルゴリズムがＮｎ，Ｔｎ及びＫｎの現在値の関数とするパスワードを発生する」との記載からすると，引用文献には，
“入力パラメータに基づいて，パスワードを生成する”こと
が記載されている。
　
　以上，アないしオで指摘した事項を踏まえると，引用文献には，次の発明（以下，「引用発明」という。）が記載されているものと認められる。
　
「マイクロコントローラを含む集積回路を備える第１のユニットにより，複数の動的変数を暗号化することによってパスワードを生成する方法において，
　前記第１のユニットの初期化のとき，前記動的変数（ＮｎやＴｎ）は初期値にセットされることと，
　アクセス要求がされたときに，レジスタに格納されたアクセス要求の番号を表す変数Ｎｎを１単位だけ増分させることと，
　現在の時間に従ってカウンタ変数Ｔｎを変化させることと，
　前記変数Ｎｎ及び前記変数Ｔｎに基づいて入力パラメータを演算することと，
　前記入力パラメータに基づいて，前記パスワードを生成すること
とを含む方法。」
　
（３）対比・判断
　
　本件補正発明と引用発明とを対比する。
　
ア
（ア）引用発明の「マイクロコントローラを含む集積回路」は，本件補正発明の「プロセッサ」に相当する。そして，引用発明において，第１のユニットが備える「マイクロコントローラを含む集積回路」が，パスワードを生成する処理を行うものであることは，当業者にとって自明の事項である。
（イ）引用発明の「パスワード」は，アクセス要求がされた時に，複数の動的変数に基づいて生成されるものであることから，本件補正発明の「ワンタイムパスワード」に相当するといえる。
（ウ）そうすると，引用発明の「マイクロコントローラを含む集積回路を備える第１のユニットにより，複数の動的変数を暗号化することによってパスワードを生成する方法」は，本件補正発明の「プロセッサによりワンタイムパスワードを発生させる方法」に相当する。
　
イ
（ア）本件補正発明における「第１の時間」，「第２の時間」について，本願の発明の詳細な説明には，これらの用語についての明確な定義は記載されていない。
（イ）そこで，明細書に記載されている内容から，これらの用語について解釈するに，本願明細書の段落【００１５】及び【００２２】に，
「【００１５】
　
本発明の実施形態にしたがうと、時間の関数としてカウンタ値Ｃを変化させることができる
時間の何らかの適切な関数が使用されてもよい
イベントの発生に基づいて、また、時間の経過に基づいて変化されるカウンタＣは、時間およびイベントベースカウンタ、すなわち、ＴＥＣと呼ばれる
例えば、
　　
ＴＥＣ＝Ｆ（Ｘ，Ｙ，Ｗ，Ｚ）
ここで、
Ｆは何らかの適切な関数または他のマッピング
ＸはＴＥＣの時間ベース増分のサイズ
Ｙは、増分ＸがＴＥＣに加算される頻度に関するもの
Ｗは、ＴＥＣのイベントベースの増分のサイズ
ＸおよびＷは正または負数であってもよく、一般的なケースでは、ＴＥＣは整数または他の何らかの種類の適切な数であってもよい
「【００２２】
　本発明の実施形態にしたがうと、イベントの発生に基づいて値ＴＥＣを増分し、時間の経過に基づいてこの値を増分することによって、ＯＴＰを発生させることができる。ＯＴＰは、ＴＥＣに基づいて決定することができる。ＯＴＰはまた、ＴＥＣと、アジャンクト値、すなわち「ＡＶ」とに基づいて計算することができる。このアジャンクト値ＡＶは、暗号鍵、パスワード等のような、共有シークレットであってもよい。ＡＶは、シークレットおよび公開情報に基づいたものであってもよい。このような公開情報は、チャンレンジ、質問等であってもよい。
ＴＥＣは、ボタンの押下、ダイアログボックスの選択、条件の一致（例えば、チャレンジに対する正確な応答）等のような、何らかの適切なイベントの発生に基づいて増分する。時間の経過は、アプリケーションごとに異なっていてもよい値Ｔによって測定することができる。ＴＥＣは、Ｔ秒、Ｔ分等後に増分される
（当審注：下線は，参考のために当審で付与したものである。）
と記載されていることから，本件補正発明においては，
ボタンの押下等，何らかのイベントが発生したときの時間を，「第１の時間」，
Ｔ秒，Ｔ分等，一定時間が経過したときの時間を，「第２の時間」，
と呼んでいるものと認められる。
（ウ）また，引用発明の「アクセス要求」は，上記Ｃに記載されるように，ユーザがキーパッドへ入力を行うことによりなされるものであるから，本件補正発明の「時間経過以外のイベントの発生」に相当するといえる。
（エ）そうすると，引用発明の「アクセス要求がされたとき」は，本件補正発明の「第１の時間」に相当するといえる。また，引用発明の「カウンタＴｎ」を変化させる「時間」は，本件補正発明の「第２の時間」に相当するといえる。
　
ウ
（ア）引用発明の「入力パラメータ」は，アクセス要求の番号を表す変数Ｎｎと，時間に従って変化する変数Ｔｎに基づいて演算され，パラメータを生成する際に用いられるものである。一方，本件補正発明の「カウンタ（ＴＥＣ）」も，時間およびイベントに基づいて増分され，ワンタイムパスワードを決定する際に用いられるものである。
（イ）従って，引用発明の，アクセス要求の番号を表す「変数Ｎｎ」と，時間に従って変化する「変数Ｔｎ」と，これらの変数に基づいて演算される「入力パラメータ」は，全体として，本件補正発明の「カウンタ（ＴＥＣ）」に相当するといえる。
　
エ
（ア）引用発明の「アクセス要求がされたときに，レジスタに格納されたアクセス要求の番号を表す変数Ｎｎを１単位だけ増分させること」と「前記変数Ｎｎ及び前記変数Ｔｎに基づいて入力パラメータを演算すること」とは，“アクセス要求がされたときに，１単位だけ増分させた変数Ｎｎを用いて，入力パラメータを演算すること”に他ならない。そして，上記Ｄの「変数Ｎｎ及びＴｎは・・・２７にて連結演算を受け・・・入力パラメータを提供する」との記載からすると，当該演算の結果，該「入力パラメータ」は増分されるものと解される。
（イ）一方，本件補正発明の「ＴＥＣを増分すること」に関して，本願明細書を参酌すると，カウンタ（ＴＥＣ）の具体的な構成は何ら示されていないが，本願明細書の段落【００１５】の「ＴＥＣ＝Ｆ（Ｘ，Ｙ，Ｗ，Ｚ）・・・ここで、Ｆは何らかの適切な関数・・・ＸはＴＥＣの時間ベース増分のサイズ・・・Ｗは、ＴＥＣのイベントベースの増分のサイズ・・・Ｗは正または負数であってもよく、一般的なケースでは、ＴＥＣは整数または他の何らかの種類の適切な数であってもよい」との記載からすると，本件補正発明においても，ＴＥＣを計算するために，何らかのイベント用のカウンタと時間用のカウンタを備える構成を含むものと考えられる。
（ウ）そして，上記イ及びウの検討内容を踏まえると，引用発明の「アクセス要求がされたときに，レジスタに格納されたアクセス要求の番号を表す変数Ｎｎを１単位だけ増分させること」と「前記変数Ｎｎ及び前記変数Ｔｎに基づいて入力パラメータを演算すること」とは，全体として，本件補正発明の「第１の時間において、時間の経過以外のイベントの発生に応答して、時間およびイベントに基づくカウンタ（ＴＥＣ）を増分すること」に相当するといえる。
　
オ　
（ア）引用発明の「現在の時間に従ってカウンタ変数Ｔｎを変化させる」とは，時間の経過に応じて，変数Ｔｎが増分されるものと解される。そして，上記Ｄの「変数Ｎｎ及びＴｎは・・・２７にて連結演算を受け・・・入力パラメータを提供する」との記載からすると，当該演算の結果，該「入力パラメータ」は増分されるものと解される。
（イ）そうすると，上記イ及びウ，並びに上記エ（イ）の検討内容を踏まえると，引用発明の「現在の時間に従ってカウンタ変数Ｔｎを変化させること」と「前記変数Ｎｎ及び前記変数Ｔｎに基づいて入力パラメータを演算すること」とは，全体として，本件補正発明の「第２の時間において、時間の経過に応答して、前記ＴＥＣを増分すること」に相当するといえる。
　
カ　そして，引用発明の「前記入力パラメータに基づいて，前記パスワードを生成すること」は，本件補正発明の「前記ＴＥＣに基づいて、前記ワンタイムパスワードを決定すること」に相当する。
　
キ　以上から，本件補正発明と引用発明とは，以下の点で一致する。
　
（一致点）
　
「プロセッサによりワンタイムパスワードを発生させる方法において、
　第１の時間において、時間の経過以外のイベントの発生に応答して、時間およびイベントに基づくカウンタ（ＴＥＣ）を増分することと、
　第２の時間において、時間の経過に応答して、前記ＴＥＣを増分することと、
　前記ＴＥＣに基づいて、前記ワンタイムパスワードを決定することとを含む方法。」
　
ク　したがって，本件補正発明は，引用発明と相違せず，引用文献に記載された発明であり，また，引用発明に基づいて，当業者が容易に発明をすることができた発明を包含するものである。
　
（４）小括
　
　上記で検討したように，本件補正発明は，特許法第２９条第１項第３号の規定により，また，特許法第２９条第２項の規定により，特許出願の際独立して特許を受けることができない。
　
５　むすび
　
　上記「３　補正の目的要件」で指摘したとおり，補正前の請求項１，１２，及び１８についてする補正を含む本件補正は，平成１８年法律第５５号改正附則第３条第１項によりなお従前の例によるとされる同法による改正前の特許法第１７条の２第４項の規定に違反するので，同法第１５９条第１項において読み替えて準用する同法第５３条第１項の規定により却下すべきものである。
　
　そして，仮に，本件補正が，特許法第１７条の２第４項第２号の限定的減縮に該当すると仮定した場合であっても，上記「４　独立特許要件」で指摘したとおり，補正後の請求項１に記載された発明は，特許出願の際独立して特許を受けることができるものではないから，本件補正は，平成１８年法律第５５号改正附則第３条第１項によりなお従前の例によるとされる同法による改正前の特許法第１７条の２第５項の規定により準用する特許法第１２６条第５項の規定に違反するので，同法第１５９条第１項において読み替えて準用する同法第５３条第１項の規定により却下すべきものである。
　
　よって，補正却下の決定の結論のとおり決定する。
　
　
第３　本件審判請求の成否について 
　
１　本願発明の認定
　
　平成２５年６月５日付けの手続補正は上記のとおり却下されたので，本願の請求項１に係る発明（以下，「本願発明」という。）は，平成２４年１１月１日付け手続補正書の特許請求の範囲の請求項１に記載された事項により特定される，以下のとおりのものである。
　
「プロセッサによりワンタイムパスワードを発生させる方法において、
　時間およびイベントに基づく値を保持するカウンタ（ＴＥＣ）を初期化する要求を受信することと、
　カウンタを初期化する前記要求に応答して、第１の時間間隔の経過の後に前記カウンタを増分することと、
　続く時間間隔の経過の前にワンタイムパスワードを発生させる要求を受信することと、
　続く時間間隔の経過の前にワンタイムパスワードを発生させる前記要求に応答して前記カウンタを増分することと、
　前記カウンタに基づいて、前記ワンタイムパスワードを決定することとを含む方法。」
　
２　引用文献
　
　原査定の拒絶の理由に引用された，引用文献およびその記載事項は，前記「第２　平成２５年６月５日付けの手続補正についての補正却下の決定」の「４　独立特許要件」の「（２）引用文献」に記載したとおりである。
　
３　対比・判断
　
　本願発明と引用発明とを対比する。
　
ア
（ア）引用発明の「マイクロコントローラを含む集積回路」は，本願発明の「プロセッサ」に相当する。そして，引用発明において，第１のユニットが備える「マイクロコントローラを含む集積回路」が，パスワードを生成する処理を行うものであることは，当業者にとって自明の事項である。
（イ）引用発明の「パスワード」は，アクセス要求がされた時に，複数の動的変数に基づいて生成されるものであることから，本願発明の「ワンタイムパスワード」に相当するといえる。
（ウ）そうすると，引用発明の「マイクロコントローラを含む集積回路を備える第１のユニットにより，複数の動的変数を暗号化することによってパスワードを生成する方法」は，本願発明の「プロセッサによりワンタイムパスワードを発生させる方法」に相当する。
　
イ
（ア）引用発明の「入力パラメータ」は，アクセス要求の番号を表す変数Ｎｎと，時間に従って変化する変数Ｔｎに基づいて演算され，パラメータを生成する際に用いられるものである。一方，本願発明の「カウンタ（ＴＥＣ）」も，時間およびイベントに基づく値を保持し，ワンタイムパスワードを決定する際に用いられるものである。
（イ）従って，引用発明の，アクセス要求の番号を表す「変数Ｎｎ」と，時間に従って変化する「変数Ｔｎ」と，これらの変数に基づいて演算される「入力パラメータ」は，全体として，本願発明の「カウンタ（ＴＥＣ）」に相当するといえる。
　
ウ
（ア）引用発明の「入力パラメータ」は，変数Ｎｎ及び変数Ｔｎに基づいて演算されるものであるから，引用発明の「動的変数（ＮｎやＴｎ）は初期値にセットされる」とは，「入力パラメータ」が初期化されることに他ならない。
（イ）そして，引用発明の「前記第１のユニットの初期化のとき」に，引用発明においても，動的変数を初期化する要求を受信するものであることは，自明の事項である。
（ウ）そうすると，上記イの検討内容を踏まえると，引用発明の「前記第１のユニットの初期化のとき，前記動的変数（ＮｎやＴｎ）は初期値にセットされること」は，本願発明の「時間およびイベントに基づく値を保持するカウンタ（ＴＥＣ）を初期化する要求を受信すること」に相当するといえる。
　
エ
（ア）引用発明において，動的変数が初期値にセットされた後（本願発明の「カウンタを初期化する前記要求に応答して」に相当。），時間の経過に応じて，変数Ｔｎが変化されるものであることは，自明の事項である。
（イ）一方，引用発明の「現在の時間に従ってカウンタ変数Ｔｎを変化させる」とは，時間の経過に応じて，変数Ｔｎが増分されていくものであると解される。
（ウ）そして，上記Ｄの「変数Ｎｎ及びＴｎは・・・２７にて連結演算を受け・・・入力パラメータを提供する」との記載からすると，変数Ｔｎが増分されると，演算の結果，該「入力パラメータ」も増分されるものと解される。
（エ）そうすると，上記イ及びウの検討内容を踏まえると，引用発明の「現在の時間に従ってカウンタ変数Ｔｎを変化させること」と「前記変数Ｎｎ及び前記変数Ｔｎに基づいて入力パラメータを演算すること」とは，全体として，本願発明の「カウンタを初期化する前記要求に応答して、第１の時間間隔の経過の後に前記カウンタを増分すること」に相当するといえる。
　
オ　
（ア）引用発明の「アクセス要求」とは，上記Ｃに「図２は、ある機能へのアクセスの要求がカードのユーザによって公式化されたときに展開されるさまざまな演算の概略フローチャート・・・サーバ１５での手続きを開始するには・・・ユーザ自身によって・・・キーパッド６へ直接入力・・・ユーザは、また・・・ＰＩＮコードを２０において打つことにより自分の権限を入力・・・入力したＰＩＮコードとメモリ内のＰＩＮコードとが一致したとすれば、２３において、プログラムがパスワードを計算する演算を起動する」と記載されるように，パスワードを計算（生成）する要求に他ならない。
（イ）そして，上記Ｃに「ユーザ自身によって・・・キーパッド６へ直接入力」と記載されるように，引用発明においても，ユーザから「アクセス要求」を受信するものであるといえる。
（ウ）そうすると，引用発明の「アクセス要求がされたとき」は，本願発明の「続く時間間隔の経過の前にワンタイムパスワードを発生させる要求を受信すること」に相当するといえる。
　
カ
（ア）引用発明の「アクセス要求がされたときに，レジスタに格納されたアクセス要求の番号を表す変数Ｎｎを１単位だけ増分させること」と「前記変数Ｎｎ及び前記変数Ｔｎに基づいて入力パラメータを演算すること」とは，“アクセス要求がされたときに，１単位だけ増分させた変数Ｎｎを用いて，入力パラメータを演算すること”に他ならない。そして，上記Ｄの「変数Ｎｎ及びＴｎは・・・２７にて連結演算を受け・・・入力パラメータを提供する」との記載からすると，当該演算の結果，該「入力パラメータ」は増分されるものと解される。
（イ）そうすると，上記イ及びオの検討内容を踏まえると，引用発明の「アクセス要求がされたときに，レジスタに格納されたアクセス要求の番号を表す変数Ｎｎを１単位だけ増分させること」と「前記変数Ｎｎ及び前記変数Ｔｎに基づいて入力パラメータを演算すること」とは，全体として，本願発明の「続く時間間隔の経過の前にワンタイムパスワードを発生させる前記要求に応答して前記カウンタを増分すること」に相当するといえる。
　
キ　そして，引用発明の「前記入力パラメータに基づいて，前記パスワードを生成すること」は，本願発明の「前記ＴＥＣに基づいて、前記ワンタイムパスワードを決定すること」に相当する。
　
ク　以上から，本願発明と引用発明とは，以下の点で一致する。
　
（一致点）
　
「プロセッサによりワンタイムパスワードを発生させる方法において、
　時間およびイベントに基づく値を保持するカウンタ（ＴＥＣ）を初期化する要求を受信することと、
　カウンタを初期化する前記要求に応答して、第１の時間間隔の経過の後に前記カウンタを増分することと、
　続く時間間隔の経過の前にワンタイムパスワードを発生させる要求を受信することと、
　続く時間間隔の経過の前にワンタイムパスワードを発生させる前記要求に応答して前記カウンタを増分することと、
　前記カウンタに基づいて、前記ワンタイムパスワードを決定することとを含む方法。」
　
ケ　したがって，本願発明は，引用発明と相違せず，引用文献に記載された発明であり，また，引用発明に基づいて，当業者が容易に発明をすることができた発明を包含するものである。
　
４　回答書における請求人の主張について
　
ア　なお，請求人は，平成２６年２月１２日付けで提出した回答書において，
『引用文献１（特表２０００−５０８０９９号公報）は、時間の経過、および、時間の経過以外のイベントの発生の両方に基づいて同一の時間およびイベントに基づく値が増分されることを開示していません。この同一の値は、例えば、時間の経過に応答して増分され、当該同一の値はイベントの発生に応答して増分されます。一方、引用文献１は、増分される２つの別個の値を有する２つの別個のカウンタを含みます。例えば、引用文献１の１８頁２２〜２９行目には、変数Ｎｎはアクセス要求に応答して増分され、もう１つの変数Ｔは時間をカウントするために増分されることが記載されています。これに対し、独立請求項１には、時間の経過およびイベントの発生のいずれかに応答して同一の変数（すなわち、時間およびイベントに基づく値）が増分されることが記載されています。』
と主張している。
　
イ　しかしながら，上記主張に関して，本願明細書を参酌しても，本願発明の「カウンタ（ＴＥＣ）」の具体的な構成は何ら示されていない。
　
ウ　そして，本願発明の「カウンタ（ＴＥＣ）」に関して，本願明細書の段落【００１５】の「ＴＥＣ＝Ｆ（Ｘ，Ｙ，Ｗ，Ｚ）・・・ここで、Ｆは何らかの適切な関数・・・ＸはＴＥＣの時間ベース増分のサイズ・・・Ｗは、ＴＥＣのイベントベースの増分のサイズ・・・Ｗは正または負数であってもよく、一般的なケースでは、ＴＥＣは整数または他の何らかの種類の適切な数であってもよい」との記載を参酌すると，本願発明においても，カウンタ（ＴＥＣ）を計算するために，何らかのイベント用のカウンタと時間用のカウンタを備える構成を含むものと考えられる。
　
エ　また，上記「第２　平成２５年６月５日付けの手続補正についての補正却下の決定」の「４　独立特許要件」の「（３）対比判断」のウ等で検討したように，引用発明の，「変数Ｎｎ」と「変数Ｔｎ」に基づいて演算される「入力パラメータ」は，全体として，本願発明の「カウンタ（ＴＥＣ）」に相当するといえるが，ワンタイムパスワードを生成するために用いられる動的変数を算出する回路をどのように構成するかについては，当業者が適宜に採用し得る設計事項にすぎないものである。
　
オ　したがって，ワンタイムパスワードを生成する際に用いられる「カウンタ」に関して，本願発明の構成と引用発明の構成との間に，実質的な相違点は認められず，請求人の主張は，採用することはできない。
　
５　むすび
　
　以上のとおり，本願の請求項１に係る発明は，特許法第２９条第１項第３号の規定により，また，特許法第２９条第２項の規定により，特許を受けることができないものであるから，その余の請求項に係る発明について検討するまでもなく，本願は拒絶すべきものである。
　
　よって，結論のとおり審決する。